(57)【要約】【課題】簡易に防水ができ、コストもかからない自動車等に装備されるコネクタを提供することを目的とする【解決手段】電線３が接続されたコネクタ１において、コネクタ１と電線３がコネクタ１に接着部材４により接着された防水シート５で覆われていることを特徴とする。また、電線３が接続されたコネクタ１において、コネクタ１と電線３がコネクタ１に接続される補機６に接着部材４により接着された防水シート５で覆われていることを特徴とする。【選択図】  図１
2005056631.tif 000002
【特許請求の範囲】
【請求項１】
電線が接続されたコネクタにおいて、前記コネクタと前記電線が前記コネクタに接着部材により接着された防水シートで覆われていることを特徴とするコネクタ。
【請求項２】
電線が接続されたコネクタにおいて、前記コネクタと前記電線が前記コネクタに接続される補機に接着部材により接着された防水シートで覆われていることを特徴とするコネクタ。
【発明の詳細な説明】
【技術分野】
【０００１】
本発明は、自動車等に装備されるコネクタに関するものである。また、より詳しくは、簡易に防水ができるコネクタに関するものである。
【背景技術】
【０００２】
一般的に、自動車のドアのドアパネル内部のパワーウィンドをはじめとする電装品、エアーコンディションユニット、テールライト等の配線について用いられるコネクタはいずれも車内に設置されるものであるため、直接水滴にさらされるエンジンルーム内のワイヤーハーネスに用いられるコネクタほど防水性の要求は高くないと言われている。
【０００３】
そのため、こういった場所で用いられるコネクタは図３のように、電線３が接続された雄型コネクタ１ａと雌型コネクタ１ｂを単純に接続したものが多かった。この態様は、電線引出側開口端２から接続された電線３を有する雄型のコネクタ１ａと雌型のコネクタ１ｂを接続したものである。
【発明の開示】
【発明が解決しようとする課題】
【０００４】
しかしながら、例えば、ドアパネル内部の電装品、テールライト等の配線に用いられるコネクタは、ほぼ密閉された空間内で使用される。そのため、コネクタに直接水滴が付かなくても、密閉空間内の湿度が高い場合には水滴が凝縮して、空間中のコネクタの上部にある機器類に付着する。そして、これが電線引出側開口端２側のコネクタ１の電線３が接続される箇所に滴り落ちる場合がある。また、エアーコンディションユニットの配線に使用されるコネクタ１についても、冷気ダクトに凝縮した水滴がコネクタ１の電線３が接続される箇所に滴り落ちる場合もある。さらに、コネクタ１にも水滴が滴り落ちて、その隙間に浸入する場合がある。こういった場合は、電線３の金属部分と接続されるコネクタ金属端子の金属部分に影響を及ぼすことがありうる。
【０００５】
特に、近年のワイヤーハーネスの軽量化の要請より、電線の芯線として従来の銅芯線に代えてアルミニウム芯線を用いることが検討されている。このような場合は、電解作用により以上のような環境にいたらなくてもわずかな水分により電線３と接続されるコネクタ金属端子の金属部分の腐食が著しくなることが予想される。
【０００６】
この対策として、例えば特許文献１記載のようにコネクタから接続される電線を一旦Ｕ字形に曲げ、曲がった部分に排水プロテクタを設置することが行なわれている。これにより、水滴は電線のＵ字の曲げ部に伝わって滴り落ちるようになる。滴り落ちた水滴は、排水プロテクタで受け止めることにより、水滴がコネクタの電線が接続される箇所に達しないようにすることができる。
【０００７】
【特許文献１】特開平１１−１３６８３１号公報
【０００８】
排水プロテクタを用いてコネクタの防水対策をする方法では、別途大がかりな排水プロテクタが必要となり、コストが上昇してしまう問題があった。また、ドアパネル内部の電装品、エアーコンディションユニット、テールライト等の配線について用いられるコネクタは、エンジンルーム内のワイヤーハーネスに用いられるコネクタほどの防水性能が要求されないので、こういった方法をわざわざ用いる必要もない。また、かかる排水プロテクタを用いても、上方から滴り落ちてくる水滴がコネクタの電線が接続される箇所に滴るのを防ぐことができるとは限らない。
【０００９】
そこで本発明の目的は、簡易に防水ができ、コストもかからないコネクタを提供することを目的とする。
【課題を解決するための手段】
【００１０】
本発明は、請求項１及び請求項２の発明からなる。
請求項１に係る発明は、電線が接続されたコネクタにおいて、前記コネクタと前記電線が前記コネクタに接着部材により接着された防水シートで覆われていることを特徴とする。
【００１１】
請求項２に係る発明は、電線が接続されたコネクタにおいて、前記コネクタと前記電線が前記コネクタに接続される補機に接着部材により接着された防水シートで覆われていることを特徴とする。
【発明の効果】
【００１２】
本発明は以下のような効果がある。
まず、請求項１に係るコネクタは、コネクタとこれに接続される電線が防水シートで覆われているので、これらの防水を図ることができる。また、防水シートは接着部材によってコネクタに接着されているだけなので、簡易かつ低コストで防水効果を得ることができる。
【００１３】
請求項２に係るコネクタも、コネクタとこれに接続される電線が防水シートで覆われているので、これらの防水を図ることができる。また、防水シートは接着部材によって補機に接着されているだけなので、簡易かつ低コストで防水効果を得ることができる。
【発明を実施するための最良の形態】
【００１４】
本発明に係るコネクタの実施の形態について図１を参照しながら具体的に説明する。本発明に係るコネクタ１は、電線３が接続された雄型のコネクタ１ａ若しくは雌型のコネクタ１ｂからなっている。コネクタ１自体の基本的な構造は、図３の従来のコネクタ１と全く同様に、電線引出側開口端２を有し、電線引出側開口端２で電線３が接続されたものである。
【００１５】
図３の従来のコネクタ１とは異なる本発明に係るコネクタ１の大きな特徴は、図１のように、コネクタ１とこれに接続される電線３が防水シート５で覆われていることである。防水シート５は、防水性・非透水性を有する材料、例えばプラスチック等の材質ならなるものを用い、コネクタ１に図示しない両面テープ等の接着部材４によって接着する。
【００１６】
なお、電線３も防水シート５で覆われているが、電線３を伝わってコネクタ１の電線引出側開口端２へ浸入する水滴を阻止することができる程度の面積であってもよい。
【００１７】
本発明に係るコネクタ１は、防水シート５が接着部材４によって補機６に接着されているだけの簡易なものである。しかしながら、これでもって、上方から滴り落ちてくる水滴を防水シート５が阻止するので、コネクタ１と電線３を水滴から守ることができる。また、防水シート５はコネクタ１に接着するだけの簡易なものを用いることができるゆえ、コストもかからない。
【００１８】
以上の図１で説明したコネクタ１は、雄型のコネクタ１ａと雌型のコネクタ１ｂを組み合わせて用いるものであるが、図２のように、一つのコネクタ１を補機６に接続する場合にも適用することができる。
【００１９】
この場合も図１のものと同様に、コネクタ１とこれに接続される電線３が防水シート５で覆われたものである。防水シート５は、コネクタ１又は補機６に図示しない両面テープ等の接着部材４によって接着されている。
【００２０】
この態様では、上方から滴り落ちてくる水滴を防水シート５が阻止するので、コネクタ１と電線３を水滴から守ることができる。また、防水シート５は補機６に接着するだけの簡易なものを用いることができるゆえ、コストもかからない。
【図面の簡単な説明】
【００２１】
【図１】本発明に係る一対のコネクタを組み合わせて接続したコネクタを示した正面図である。
【図２】本発明に係る一つのコネクタを補機に接続したコネクタを示した正面図である。
【図３】従来技術に係るコネクタを示した正面図である。
【符号の説明】
【００２２】
１  コネクタ
１ａ  雄型コネクタ
１ｂ  雌型コネクタ
２  電線引出側開口端
３  電線
４  接着部材
５  防水シート
６  補機
【図１】
2005056631.tif 000003
【図２】
2005056631.tif 000004
【図３】
2005056631.tif 000005